(57)【要約】      （修正有）【課題】小型電子機器がポケットやカバン、或はバッグ等の中に入れられている時に押釦が押されても押釦に対する押圧力を解くと第１の部材と第２の部材が閉成状態で再びロックされるように構成した、ワンプッシュオープンタイプの電子機器用ヒンジの提供。【解決手段】第１の部材と第２の部材の閉成時には、インナーカムの係止突部でアウターカムのカム部の凸部を係止ロックしており、押釦に対し押圧操作を行うことにより、スライドキーで前記インナーカムを押して該インナーカムの係止突部によるアウターカムのカム部の凸部に対する係止を解き前記アウターカムのカム部とスライダーカムのカム部によってケース体に回転トルクを発生させるが、第１の部材と第２の部材が閉じたままであると、押釦に対する押圧力を解くことによってインナーカムが第２弾性手段の弾力によって元位置に復帰し再びその係止突部でアウターカムのカム部の凸部を係止ロックする。【選択図】          図３
2004183821.tif 000002
【特許請求の範囲】
【請求項１】
第１の部材と第２の部材を互いに開閉可能に連結するワンプッシュオープンタイプの電子機器用ヒンジであって、外周に回り止め手段を有し前記第１の部材か第２の部材のいずれか一方の取付筒部に挿入係止されるケース体と、このケース体の中心部軸方向を貫通して一端部側を該ケース体に係止して取り付けられたシャフトと、このシャフトの他端部側に該シャフトに回転を拘束されつつ軸方向へ摺動可能に取り付けられたスライドキーと、外周に回り止め手段を有し前記第１の部材か第２の部材のいずれか他方の取付筒部に挿入係止され前記スライドキ一を内部軸方向へ摺動可能に収装しつつ前記シャフトに回転を拘束されて設けられた一端部にカム部を有するアウターカムと、その中心部軸方向へ前記シャフトとを挿通させて軸方向へ摺動可能に設けられた前記アウターカムのカム部と対向する側に係止突部を有し前記スライドキーの先端と当接するインナーカムと、このインナーカムをその内部に摺動可能に収納し前記ケース体内に回転を拘束されつつ軸方向へ摺動可能に取り付けられた前記アウターカムのカム部と対向する側に前記インナーカムのカム部と位相をずらせて設けたカム部を有するスライダーカムと、このスライダーカムと前記ケース体との間に弾設された第１弾性手段と、前記インナーカムと前記ケース体との間に弾設された前記第１弾性手段よりも弱い弾力を持つ第２弾性手段と、前記スライドキーに取り付けられた押釦とを有し、前記第１の部材と第２の部材の閉成時には、前記インナーカムの係止突部で前記アウターカムのカム部の凸部を係止ロックしており、前記押釦に対し押圧操作を行うことにより、前記スライドキーで前記インナーカムを押して該インナーカムの係止突部による前記アウターカムのカム部の凸部に対する係止を解き前記アウターカムのカム部と前記スライダーカムのカム部によって前記ケース体に回転トルクを発生させるが、前記第１の部材と第２の部材が閉じたままであると、前記押釦に対する押圧力を解くことによって前記インナーカムが前記第２弾性手段の弾力によって元位置に復帰し再びその係止突部でアウターカムのカム部の凸部を係止ロックするように構成したことを特徴とする、電子機器用ヒンジ。
【請求項２】
第１の部材と第２の部材を互いに開閉可能に連結するワンプッシュオープンタイプの電子機器用ヒンジであって、外周に回り止め手段を有し前記第１の部材か第２の部材のいずれか一方の取付筒部に挿入係止されるケース体と、このケース体の中心部軸方向を貫通して一端部側を該ケース体に係止して取り付けられたシャフトと、このシャフトの他端部側に該シャフトに回転を拘束されつつ軸方向へ摺動可能に取り付けられたスライドキーと、外周に回り止め手段を有し前記第１の部材か第２の部材のいずれか他方の取付筒部に挿入係止され前記スライドキーを内部軸方向へ摺動可能に収装しつつ前記シャフトに回転を拘束されて設けられた一端部にカム部を有するアウターカムと、その中心部軸方向へ前記シャフトを挿通させて前記ケース体内に回転を拘束されつつ軸方向へ摺動可能に取り付けられた前記アウターカムのカム部と対向する側に位相をずらせて設けたカム部を有するスライダーカムと、このスライダーカムと前記ケース体との間に弾設された弾性手段と、前記スライドキーに取り付けられた押釦とを有し、前記第１の部材と第２の部材の閉成時に前記アウターカムのカム部で前記スライダーカムのカム部の凸部を係止ロックしており、前記押釦に対し押圧操作を行うことにより、前記スライドキーで前記スライダーカムを押して該スライダーカムのカム部の凸部が前記アウターカムのカム部の凸部に係止されているのを解き前記アウターカムのカム部と前記スライダーカムのカム部によって前記ケース体に回転トルクを発生させるが、前記第１の部材に第２の部材を閉じたままであると、前記押釦に対する押圧力を解くことによって前記スライドキーが元位置に復帰し再びスライダーカムのカム部の凸部をアウターカムのカム部の凸部で係止ロックするように構成したことを特徴とする、電子機器用ヒンジ。
【請求項３】
第１の部材と第２の部材を互いに開閉可能に連結するワンプッシュオープンタイプの電子機器用ヒンジであって、外周に回り止め手段を有し前記第１の部材か第２の部材のいずれか一方の取付筒部に挿入係止されるケース体と、このケース体の中心部軸方向を貫通して一端部側を該ケース体に係止して取り付けられたシャフトと、このシャフトの他端部側に該シャフトに回転を拘束されつつ軸方向へ摺動可能に取り付けられたスライドキーと、外周に回り止め手段を有し前記第１の部材か第２の部材のいずれか他方の取付筒部に挿入係止され前記スライドキーを内部軸方向へ摺動可能に収装しつつ前記シャフトに回転を拘束されて設けられた一端部にカム部を有するアウターカムと、その中心部軸方向へ前記シャフトを挿通させて軸方向へ摺動可能に設けられた前記アウターカムのカム部と対向する側に係止凸部を有し前記スライドキーの先端と当接するインナーカムと、その中心部軸方向へ前記シャフトを挿通させて前記ケース体内に回転を拘束されつつ軸方向へ摺動可能に取り付けられた前記アウターカムのカム部と対向する側に前記インナーカムのカム部と位相をずらせて設けたカム部を有するスライダーカムと、このスライダーカムと前記ケース体との間に弾設された第１弾性手段と、前記インナーカムと前記ケース体との間に弾設された前記第１弾性手段よりも弱い弾力を持つ第２弾性手段と、前記スライドキーに取り付けられた押釦とを有し、前記第１の部材と第２の部材の閉成時には、前記アウターカムのカム部で前記スライダーカムのカム部の凸部を係止ロックしており、前記押釦に対し押圧操作を行うことにより、前記スライドキーで前記スライダーカムを押して該スライダーカムのカム部の凸部が前記アウターカムのカム部の凸部に対する係止を解き、前記アウターカムのカム部と前記スライダーカムのカム部によって前記ケース体に回転トルクを発生させるが、前記第１の部材と第２の部材が閉じられると、その閉成直前において前記アウターカムのカム部の凸部が前記インナーカムの係止突部を乗り越えることにより、吸い込み力を発生させるように構成したことを特徴とする、電子機器用ヒンジ。
【請求項４】
第１の部材と第２の部材を互いに開閉可能に連結するワンプッシュオープンタイプの電子機器用ヒンジであって、外周に回り止め手段を有し前記第１の部材か第２の部材のいずれか一方の取付筒部に挿入係止されるケース体と、このケース体の中心部軸方向を貫通して一端部側を該ケース体に係止して取り付けられたシャフトと、このシャフトの他端部側に該シャフトに回転を拘束されつつ軸方向へ摺動可能に取り付けられたスライドキーと、外周に回り止め手段を有し前記第１の部材か第２の部材のいずれか他方の取付筒部に挿入係止され前記スライドキーを内部軸方向へ摺動可能に収装しつつ前記シャフトに回転を拘束されて設けられた一端部にカム部を有するアウターカムと、その中心部軸方向へ前記シャフトを挿通させて前記ケース体内に回転を拘束されつつ軸方向へ摺動可能に取り付けられた前記アウターカムのカム部と対向する側に位相をずらせて設けたカム部を有するスライダーカムと、このスライダーカムと前記ケース体との間に弾設された弾性手段と、前記スライドキーに取り付けられた押釦とを有し、前記第１の部材と第２の部材の閉成時に前記アウターカムのカム部で前記スライダーカムのカム部の凸部を係止ロックしており、前記押釦に対し押圧操作を行うことにより、前記スライドキーで前記スライダーカムを押して該スライダーカムのカム部の凸部が前記アウターカムのカム部の凸部に係止されているのを解き前記アウターカムのカム部と前記スライダーカムのカム部によって前記ケース体に回転トルクを発生させるが、前記第１の部材と第２の部材が閉じられると、その閉成直前において前記スライダーカムのカム部の凸部が前記アウターカムのカム部の凸部を乗り越えることにより、吸い込み力を発生させるように構成したことを特徴とする、電子機器用ヒンジ。
【請求項５】
前記スライドキーを前記シャフトに対し回転を拘束された状態で軸方向への摺動を許容する手段が、該スライドキーを半径方向に貫通して軸方向に設けられた長孔と、この長孔と係合する前記シャフトに取り付けられたピンであり、同時に前記アウターカムを前記シャフトへ固定する手段が、前記ピンであることを特徴とする、請求項１乃至４のいずれかに記載の電子機器用ヒンジ。
【請求項６】
互いに開閉可能に連結される第１の部材と第２の部材の連結部に、請求項１乃至５のいずれかに記載の電子機器用ヒンジを用いたことを特徴とする、電子機器。
【発明の詳細な説明】
【０００１】
【発明の属する技術分野】
この発明は、とくに携帯電話機や、ポケットコンピュータのように２つ折に連結した第１の部材であるキーボード部と第２の部材であるディスプレイ装置を持つ電子機器に用いて好適なワンプッシュオープンタイプの電子機器用ヒンジ並びにこのヒンジを用いた電子機器に関する。
【０００２】
【従来の技術】
従来、第１の部材であるキーボード部付きの送話部と第２の部材であるディスプレイ装置付きの受話部とを、相対的に開閉可能となるように構成した二つ折りタイプの電子機器の一種である携帯電話機の電子機器用ヒンジとして送話部と受話部の全閉状態においてロックでき、押釦を押すと、送話部と受話部が自動的に所定角度まで開かれるように構成した、ワンプッシュオープンタイプの電子機器用ヒンジ、及びこの電子機器用ヒンジを用いた携帯電話機として、次のものが公知である。
【０００３】
特開２０００−２０７７１号公開特許公報
【０００４】
この公知構成のワンプッシュオープンタイプの電子機器用ヒンジは、第１の部材と第２の部材を互いに開閉可能に連結するワンプッシュオープンタイプの電子機器用ヒンジを、シャフトと、このシャフトに対し軸方向へ摺動可能に取り付け前記第２の部材と共に回転するように構成された一端部にカム部を有するスライダーカムと、このスライダーカムを一方向へ摺動附勢させる第１コンプレッションスプリングと、前記スライダーカムのカム部と対向する側にカム部を有し前記シャフトに対し回転可能に取り付けられたインナーカムと、このインナーカムを内部に回転可能に収容させると共に前記スライダーカムのカム部と対向する側にカム部を有し、前記第１の部材に回転を拘束されて設けられたアウターカムと、軸方向へ摺動し前記インナーカムの回転を制御するスライドキーと、このスライドキーの一端部に設けた押釦と、この押釦及び又は前記スライドキーと前記アウターカムとの間に弾設された前記第１コンプレッションスプリングよりも弾力の弱い第２コンプレッションスプリングとで構成して成るものであった。
【０００５】
【発明が解決しようとする課題】
上述した従来公知の電子機器用ヒンジは、小型電子機器が例えば携帯電話機の場合、ポケットやカバン、バッグ等の中へ入れておいて、誤って或は何かの原因で押釦が押された場合、ロックが解除されることから、第１の部材と第２の部材が開いてしまうという問題があった。
【０００６】
さらに、上述した従来公知の電子機器用ヒンジは、押釦を押すと第１の部材に対し第２の部材を相対的に所定の角度まで自動的に開き、しかる後は手動で開くことができる上に、手動でも第１の部材と第２の部材を開閉することができるものであったが、閉成時の吸い込み力が弱いため、第１の部材と第２の部材がきちんと閉じないという問題もあった。
【０００７】
この発明の目的は、小型電子機器がポケットやカバン、或はバッグ等の中に入れられている時に押釦が押されても押釦に対する押圧力を解くと第１の部材と第２の部材が閉成状態で再びロックされるように構成した、ワンプッシュオープンタイプの電子機器用ヒンジを提供せんとするにある。
【０００８】
この発明の次の目的は、互いに開閉される電子機器の第１の部材と第２の部材を閉じる際に、しっかりとした吸い込み力を発生させることのできる、ワンプッシュオープンタイプの電子機器用ヒンジを提供せんとするにある。
【０００９】
【課題を解決するための手段】
上述した目的を達成するためにこの発明は、第１の部材と第２の部材を互いに開閉可能に連結するワンプッシュオープンタイプの電子機器用ヒンジであって、外周に回り止め手段を有し前記第１の部材か第２の部材のいずれか一方の取付筒部に挿入係止されるケース体と、このケース体の中心部軸方向を貫通して一端部側を該ケース体に係止して取り付けられたシャフトと、このシャフトの他端部側に該シャフトに回転を拘束されつつ軸方向へ摺動可能に取り付けられたスライドキーと、外周に回り止め手段を有し前記第１の部材か第２の部材のいずれか他方の取付筒部に挿入係止され前記スライドキ一を内部軸方向へ摺動可能に収装しつつ前記シャフトに回転を拘束されて設けられた一端部にカム部を有するアウターカムと、その中心部軸方向へ前記シャフトとを挿通させて軸方向へ摺動可能に設けられた前記アウターカムのカム部と対向する側に係止突部を有し前記スライドキーの先端と当接するインナーカムと、このインナーカムをその内部に摺動可能に収納し前記ケース体内に回転を拘束されつつ軸方向へ摺動可能に取り付けられた前記アウターカムのカム部と対向する側に前記インナーカムのカム部と位相をずらせて設けたカム部を有するスライダーカムと、このスライダーカムと前記ケース体との間に弾設された第１弾性手段と、前記インナーカムと前記ケース体との間に弾設された前記第１弾性手段よりも弱い弾力を持つ第２弾性手段と、前記スライドキーに取り付けられた押釦とを有し、前記第１の部材と第２の部材の閉成時には、前記インナーカムの係止突部で前記アウターカムのカム部の凸部を係止ロックしており、前記押釦に対し押圧操作を行うことにより、前記スライドキーで前記インナーカムを押して該インナーカムの係止突部による前記アウターカムのカム部の凸部に対する係止を解き前記アウターカムのカム部と前記スライダーカムのカム部によって前記ケース体に回転トルクを発生させるが、前記第１の部材と第２の部材が閉じたままであると、前記押釦に対する押圧力を解くことによって前記インナーカムが前記第２弾性手段の弾力によって元位置に復帰し再びその係止突部でアウターカムのカム部の凸部を係止ロックするように構成したことを特徴とする。
【００１０】
この発明はまた、第１の部材と第２の部材を互いに開閉可能に連結するワンプッシュオープンタイプの電子機器用ヒンジであって、外周に回り止め手段を有し前記第１の部材か第２の部材のいずれか一方の取付筒部に挿入係止されるケース体と、このケース体の中心部軸方向を貫通して一端部側を該ケース体に係止して取り付けられたシャフトと、このシャフトの他端部側に該シャフトに回転を拘束されつつ軸方向へ摺動可能に取り付けられたスライドキーと、外周に回り止め手段を有し前記第１の部材か第２の部材のいずれか他方の取付筒部に挿入係止され前記スライドキーを内部軸方向へ摺動可能に収装しつつ前記シャフトに回転を拘束されて設けられた一端部にカム部を有するアウターカムと、その中心部軸方向へ前記シャフトを挿通させて前記ケース体内に回転を拘束されつつ軸方向へ摺動可能に取り付けられた前記アウターカムのカム部と対向する側に前記インナーカムのカム部と位相をずらせて設けたカム部を有するスライダーカムと、このスライダーカムと前記ケース体との間に弾設された弾性手段と、前記スライドキーに取り付けられた押釦とを有し、前記第１の部材と第２の部材の閉成時に前記アウターカムのカム部で前記スライダーカムのカム部の凸部を係止ロックしており、前記押釦に対し押圧操作を行うことにより、前記スライドキーで前記スライダーカムを押して該スライダーカムのカム部の凸部が前記アウターカムのカム部の凸部に係止されているのを解き前記アウターカムのカム部と前記スライダーカムのカム部によって前記ケース体に回転トルクを発生させるが、前記第１の部材に第２の部材を閉じたままであると、前記押釦に対する押圧力を解くことによって前記スライドキーが元位置に復帰し再びスライダーカムのカム部の凸部をアウターカムのカム部の凸部で係止ロックするように構成したことを特徴とする。
せるように構成したことを特徴とする。
【００１１】
この発明はさらに、第１の部材と第２の部材を互いに開閉可能に連結するワンプッシュオープンタイプの電子機器用ヒンジであって、外周に回り止め手段を有し前記第１の部材か第２の部材のいずれか一方の取付筒部に挿入係止されるケース体と、このケース体の中心部軸方向を貫通して一端部側を該ケース体に係止して取り付けられたシャフトと、このシャフトの他端部側に該シャフトに回転を拘束されつつ軸方向へ摺動可能に取り付けられたスライドキーと、外周に回り止め手段を有し前記第１の部材か第２の部材のいずれか他方の取付筒部に挿入係止され前記スライドキーを内部軸方向へ摺動可能に収装しつつ前記シャフトに回転を拘束されて設けられた一端部にカム部を有するアウターカムと、その中心部軸方向へ前記シャフトを挿通させて前記ケース体内に回転を拘束されつつ軸方向へ摺動可能に取り付けられた前記アウターカムのカム部と対向する側に前記インナーカムのカム部と位相をずらせて設けたカム部を有するスライダーカムと、このスライダーカムと前記ケース体との間に弾設された弾性手段と、前記スライドキーに取り付けられた押釦とを有し、前記第１の部材と第２の部材の閉成時には、前記アウターカムのカム部で前記スライダーカムのカム部の凸部を係止ロックしており、前記押釦に対し押圧操作を行うことにより、前記スライドキーで前記スライダーカムを押して該スライダーカムのカム部の凸部が前記アウターカムのカム部の凸部に対する係止を解き前記アウターカムのカム部と前記スライダーカムのカム部によって前記ケース体に回転トルクを発生させるが、前記第１の部材と第２の部材が閉じられると、その閉成直前において前記アウターカムのカム部の凸部が前記インナーカムの係止突部を乗り越えることにより、吸い込み力を発生さ
【００１２】
この発明はさらに、第１の部材と第２の部材を互いに開閉可能に連結するワンプッシュオープンタイプの電子機器用ヒンジであって、外周に回り止め手段を有し前記第１の部材か第２の部材のいずれか一方の取付筒部に挿入係止されるケース体と、このケース体の中心部軸方向を貫通して一端部側を該ケース体に係止して取り付けられたシャフトと、このシャフトの他端部側に該シャフトに回転を拘束されつつ軸方向へ摺動可能に取り付けられたスライドキーと、外周に回り止め手段を有し前記第１の部材か第２の部材のいずれか他方の取付筒部に挿入係止され前記スライドキーを内部軸方向へ摺動可能に収装しつつ前記シャフトに回転を拘束されて設けられた一端部にカム部を有するアウターカムと、その中心部軸方向へ前記シャフトを挿通させて前記ケース体内に回転を拘束されつつ軸方向へ摺動可能に取り付けられた前記アウターカムのカム部と対向する側に前記インナーカムのカム部と位相をずらせて設けたカム部を有するスライダーカムと、このスライダーカムと前記ケース体との間に弾設された弾性手段と、前記スライドキーに取り付けられた押釦とを有し、前記第１の部材と第２の部材の閉成時に前記アウターカムのカム部で前記スライダーカムのカム部の凸部を係止ロックしており、前記押釦に対し押圧操作を行うことにより、前記スライドキーで前記スライダーカムを押して該スライダーカムのカム部の凸部が前記アウターカムのカム部の凸部に係止されているのを解き前記アウターカムのカム部と前記スライダーカムのカム部によって前記ケース体に回転トルクを発生させるが、前記第１の部材と第２の部材が閉じられると、その閉成直前において前記スライダーカムのカム部の凸部が前記アウターカムのカム部の凸部を乗り越えることにより、吸い込み力を発生させるように構成したことを特徴とする。
【００１３】
以上いずれの場合にもこの発明は、前記スライドキーを前記シャフトに対し回転を拘束された状態で軸方向への摺動を許容する手段を、該スライドキーを半径方向に貫通して軸方向に設けられた長孔と、この長孔と係合する前記シャフトに取り付けられたピンとし、同時に前記アウターカムを前記シャフトへ固定する手段を、前記ピンとすることができる。
【００１４】
この発明はまた、電子機器として、互いに開閉可能に連結される第１の部材と第２の部材の連結部に上記各構成の電子機器用ヒンジを用いたことを特徴とする。
【００１５】
【発明の実施の形態】
以下にこの発明を電子機器の一例である携帯電話機に実施した場合について説明するが、この発明はその他に例えばポケットコンピュータ、ノート型パソコン、その他の電子機器の例えば第１部材を構成するキーボード部と第２の部材を構成するディスプレイ装置とを相対的に開閉可能に連結するヒンジとして応用できる。
【００１６】
図面はこの発明の一実施の形態を示し、図１において、指示記号１で示されたものは、電子機器の一種である携帯電話機の送話部であり、第１の部材を構成する。その表面にはマイクロフォン部２ａやキーボード部２ｂが設けられている。指示記号３で示されたものは同じく電子機器の一種である携帯電話機の受話部であり、第２の部材を構成する。その表面にはイヤホーン部４ａや例えば液晶を用いたディスプレイ装置４ｂが設けられている。送話部１と受話部３の各端部には連結部を構成する取付筒部ｌａ，ｌａと３ａが設けられ、これらの各取付筒部１ａと３ａは、この発明に係るプッシュオープンタイプの電子機器用ヒンジＡによって、互いに相対的に開閉可能に連結されている。尚、指示記号４ｃは、アンテナである。また、図１では電子機器用ヒンジＡを１個用いたものを示したが、左右に一対一方のものを他の構成としたもので用いることができる。
【００１７】
次に、この発明に係るプッシュオープンタイプの電子機器用ヒンジＡの構造について説明する。図２乃至図１４は、この電子機器用ヒンジＡの構造及びその部品を示し、図面において、指示記号５で示されたものは例えば真鍮製のシャフトである。このシャフト５は一端部に鍔部５ａを有するものであり、外周に凸状部と凹状部から成る回り止め手段６ａを有するケース体６の側壁６ｂに設けた軸受孔６ｃに軸受係止されつつ、該ケース体６の中心部軸方向を貫通している。このケース体６は受話部３の取付筒部３ａに設けた変形取付孔３ｂに挿入され、とくに図４に示したように、外周に設けた突状部と凹状部から成る回り止め手段６ａを、該変形取付孔３ｂの内周に設けた凹状部と凸状部から成る係合部３ｃと係合させることにより、取付筒部３ａと共に回転するように構成されている。シャフト５は、図３に示したようにこの取付筒部３ａに設けた隔壁３ｄにＥリング７ａによって係止されている。尚、ケース体６の側壁３ｅとシャフト５の鍔部５ａとの間には、スペーサー７ｂがその中心部にシャフト５を挿通させつつ介在されている。
【００１８】
シャフト５のケース体６の開放端より突出した自由端側には、とくに図３と図５に示したように、その中心部軸方向に設けた挿通孔８ａへ該シャフト５の先端を挿通させつつ、軸方向へ摺動可能に筒状にスライドキー８が該シャフト５に回転を拘束されつつ取り付けられている。このスライドキー８をシャフト５に回転を拘束された状態で取り付ける手段は、とくに図３と図５に示したように、スライドキー８の半径方向と軸方向に設けた長孔８ｂ，８ｂと、この長孔８ｂ，８ｂに係合してシャフト５に取り付けたピン９から成るものであり、このピン９と長孔８ｂ，８ｂによって、スライドキー８はまた軸方向へ限定された距離摺動可能である。そして、このスライドキー８の一端には、押釦１３が係着されている。
【００１９】
次に、スライドキー８をその中心部軸方向に設けた挿通孔１０ａ内へ摺動可能に挿通させて、外周にとくに図３と図５に示したように、凸状部と平坦部から成る回り止め手段１０ｂを設けたアウターカム１０が、前記したスライドキー８を係止するピン９をその半径方向に設けた連結孔１０ｃへ挿通させることによってシャフト５へ固定されつつ設けられている。このアウターカム１０は、とくに図３と図５に示されたように、送話部１の取付筒部ｌａに設けた変形取付孔１ｂに挿入され、その回り止め手段１０ｂを変形取付孔ｌｂの内側に設けた凹状部と凸状部から成る係合部ｌｃと係合させることにより、送話部１の取付筒部ｌａと共に回転するように構成されている。このアウターカム１０にはまた、とくに図６と図７に示したように、その一側端部側に各一対の凸部１１ａと凹部ｌ１ｂから成るカム部１１が設けられている。尚、このアウターカム１０のカム部１１の形状は図７に展開図にして詳しく示されている。
【００２０】
次に、とくに図３と図４に示したように、アウターカム１０及びスライドキー８と対向させてその中心部軸方向に設けた挿通孔１２ａヘシャフト５を挿通させつつインナーカム１２が摺動可能に取り付けられている。このインナーカム１２にはさらにアウターカム１０のカム部１１の方向に向けて外周方向へ突出する一対の係止凸部１２ｂ，１２ｂが設けられている。さらに、このインナーカム１２の外周軸方向に係止突条１２ｃ，１２ｃが設けられると共に、とくに図３に示したように、ケース体６の側壁６ｂとの間にシャフト５に還巻きさせて弱い弾力のコンプレッションスプリングから成る第２弾性手段１７が弾設され、インナーカム１２を常にスライドキー８側へ摺動附勢させている。このインナーカム１２の構成は、その係止凸部１２ｂ，１２ｂの展開図と共に図８乃至図１０に詳しく示されている。
【００２１】
次に、同じくとくに図３と図４に示したように、アウターカム１０と対向させて、その中心部軸方向に設けた変形挿通孔１５ａヘインナーカム１２を摺動可能かつ非回転に挿通させつつスライダーカム１５が設けられている。尚、このスライダーカム１５の構成は図１２乃至図１４に詳しく示されている。このスライダーカム１５は、アウターカム１０と対向する側に凸部１６ａと凹部１６ｂから成るカム部１６が設けられると共に、その変形挿通孔１５ａへ挿通させたインナーカム１２の回転を拘束しつつ、その外周に設けた凸状部と凹状部から成る回り止め手段１５ｃをケース体６の内周軸方向に設けた凹状部と凸状部から成る変形挿通孔６ｄに係合させることによって、軸方向へ摺動可能であるが、回転はケース体６に拘束されるように構成されている。
【００２２】
そして、スライダーカム１５とケース体６の側壁６ｂとの間には、図３に示したように、シャフト５に還巻きさせてコンプレッションスプリングから成る第１弾性手段１４が弾設されている。この第１弾性手段１４の弾力は、前述した第２弾力手段１７の弾力よりも強い弾力を持っている。このことにより、スライダーカム１５は常にアウターカム１０の方向つまり図３において左方向に摺動附勢されている。スライダーカム１５の変形挿通孔１５ａの一端には、段部１５ｂが設けられ、この段部１５ｂにインナーカム１２に設けたフランジ部１２ｄが嵌合する構成となっている。
【００２３】
したがって、第１の部材である送話部１に対して第２の部材である受話部３を閉じた状態においては、図１５に示したように、ケース体６内において、スライダーカム１５がインナーカム１２と共に右方向へ移動しており、図１６に示したように、そのカム部１６の凸部１６ａとインナーカム１２のカム部１１の係止凸部１２ｂとアウターカムｌ０のカム部１１の凸部１１ａとの間で係止しており、この状態においてインナーカム１２は右側から見て反時計方向へ回動附勢されているが、スライダーカム１５に回転を拘束されているので、ロック状態を保っている。
【００２４】
この状態から図１５において、押釦１３を第２弾性手段１７の弾力に抗して図中右側へ押すと、共にスライドキー８が図中右方向へ摺動することによって、このスライドキー８の先端部がインナーカム１２を押して図中右方向へ移動させる。すると、インナーカム１２の係止凸部１２ｂのアウターカム１０のカム部１１の凸部１１ａに対する係止を解くので、スライダーカム１５は第１弾性手段１４の弾力によって図中左方向へ押圧される力を解放されて左方向へ摺動し、その際にアウターカム１０のカム部１１の凸部１１ａがスライダーカム１５のカム部１６の傾斜案内部１６ｃに案内されることによってスライダーカム１５に回転トルクが発生し、図３の右側から見て時計方向へ回転しつつスライダーカム１５のカム部１６の凹部１６ｂへ落ち込む。その際に、スライダーカム１５はケース体６に回転を拘束されており、ケース体６は第２の部材である受話部３の取付筒部３ａに回転を拘束されているので、第２の部材である受話部３はインナーカム１２やケース体６と共に時計方向へ回転して自動的に開かれることになる。この自動開成角度は実施の形態のもので約１６０°である。図２と図３はこの発明に係る電子機器用ヒンジＡのこの状態のものを示している。
【００２５】
次に、誤って押釦１３が押された場合、第２の部材である受話部３に上述したように開成方向へ開こうとする回転トルクが発生するが、受話部３が開かれずに押釦１３に対する押圧力が解かれると、インナーカム１２は、第２弾性手段１７の弾力によって元位置に戻り、その係止凸部１２ｂで再びアウターカム１０のカム部１１の凸部１１ａを係止するので、第２の部材である受話部３はロック状態となる。
【００２６】
開いた受話部３を閉じる際には、一方の手で送話部１を支え、もう一方の手で受話部３を反時計方向へ押して閉じると、ケース体６と共にスライダーカム１５が共に反時計方向へ回転し、アウターカム１０のカム部１１の傾斜案内部１６ｃを登りつつ第１弾性手段１４の弾力に抗して図中右方向へ摺動する。受話部３が送話部１に対する閉成位置近くになると、アウターカム１０のカム部１１の凸部１１ａによって、インナーカム１２の係止凸部１２ｂが押されて該インナーカム１２は若干右方向へ摺動した後、アウターカム１０のカム部１１の凸部１１ａが通過することによって元位置に戻り、その係止凸部１２ｂでアウターカム１０のカム部１１の凸部１１ａを係止ロックする。このようにして、第１の部材である送話部１と第２の部材である受話部３は閉じられ、閉成状態でロックされることになる。そのインナーカム１２の係止凸部１２ｂがアウターカム１０のカム部１１の凸部１１ａを滑らせて元位置に復帰するインナーカム１２の押圧力で、第２の部材である受話部３は、第１の部材である送話部１に対し吸い込まれるように閉じられることになる。
【００２７】
尚、以上の実施の形態は、第１の部材である送話部１に対し、第２の部材である受話部３が１６０°まで自動的に開かれる場合について説明したが、この自動開成角度に限定はなく、これを例えば９０°まで自動的に開かしめて、後はフリーストップに手動で開閉できるように構成しても良い。また、全開角度の１６０°は一例であってこの開成角度に限定されない。さらに、以上の実施の形態は、電子機器用ヒンジＡを１個用いただけであるが、上述したように、送話部１の右側の取付筒部１ａと受話部３の取付筒部３ａにもう１個別の構成のヒンジを用いることができ、そのようなヒンジは、所定の開成角度からフリクショントルクを発生させるヒンジ、その他のヒンジとすることができる。
【００２８】
次に、押釦１３を押圧操作することなく、受話部３を送話部１に対して開こうとする場合には、手指を用いて受話部３を送話部１に対して開く方向へ押したり、引いたりすると、アウターカム１０のカム部１１の凸部１１ａがその回転を阻止しているインナーカム１２の係止凸部１２ｂを第１弾性手段１４の押圧力に抗して図中右側へ摺動させ乗り越えることによって、受話部３の送話部１に対する開成動作が許容され、後は上述したように自動的に１６０°  まで自動的に開かれることになる。
【００２９】
次に、この発明に係る電子機器の一例としての携帯電話機がポケットやカバン、バッグ等の中で、送話部１としての第１の部材と受話部３としての第２の部材が閉じられた状態で押釦１３が押されると、図１５の状態においてスライドキー８が図中右方向へ摺動してその先端でインナーカム１２を第２弾性手段１７の弾力に抗して共に右方向へ押すので、アウターカム１０のカム部１１の凸部１１ａによって係止ロックされていたインナーカム１２の係止突部１２ｂが係止ロック状態が解除されるので、このインナーカム１２、しかしてケース体６及び受話部３の取付筒部３ａが受話部３を開く方向の回転トルクを受け開こうとする。しかし、ポケットやカバン、或はバッグ等の中にある電子機器（携帯電話機）は狭い両側より押された状態にあるのでそのままでは開かない。そこで、押釦１３に対する押圧力が解かれると、インナーカム１２は第２弾性手段１７の弾力によってスライドキー８を押して元位置に戻り、再びアウターカム１０のカム部１１の凸部１１ａに係止ロックされることになることから、誤って押釦１３を押してしまった携帯電話機をポケットやカバン或はバッグの中より取り出して自然に送話部１と受話部３が開いてしまうことがないものである。
【００３０】
次に、図１７乃至図３２はこの発明に係るワンプッシュオープンタイプの電子機器用ヒンジの他の実施の形態を示す。この電子機器用ヒンジＢは、とくに図１７において、電子機器の一種である携帯電話機の第１の部材を構成する送話部２１の取付筒部２１ａに設けた変形取付孔２１ｂと、第２の部材を構成する受話部２３の取付筒部２３ａの変形取付孔２３ｂにはケース体２６とアウターカム３０が挿入係止されることによって、送話部２１と受話部２３を開閉可能に連結させている。図面において、指示記号２５で示されたものは例えば真鍮製のシャフトである。このシャフト２５は一端部に鍔部２５ａを有するものであり、外周に凸状部と凹状部から成る回り止め手段２６ａを有するケース体２６の側壁２６ｂに設けた軸受孔２６ｃに、軸受けされつつ、鍔部２５ａによって、該ケース体２６の中心部軸方向を右方向へ抜け出ないように貫通している。このケース体２６は受話部２３の取付筒部２３ａに設けた変形取付孔２３ｂに挿入され、とくに図１７と図２２に示したように、外周に設けた突状部と凹状部から成る回り止め手段２６ａを、該変形取付孔２３ｂの内周に設けた凹状部と凸状部から成る係合部２３ｃと係合させることにより、取付筒部２３ａと共に回転するように構成されている。とくに図１８と図２０に示したように、ケース体２６の側壁２６ｂとシャフト２５の鍔部２５ａとの間には、スペーサー２７がその中心部にシャフト２５を挿通させつつ介在されている。
【００３１】
次に、シャフト２５のケース体２６の開放端より突出した自由端側には、とくに図１８乃至図２０と図２２、及び図２４乃至図２５に示したように、その中心部軸方向に設けた挿通孔２８ａへ該シャフト２５の先端を挿通させつつ軸方向へ摺動可能に筒状のスライドキー２８が該シャフト２５に回転を拘束されつつ取り付けられている。このスライドキー２８をシャフト２５に回転を拘束された状態で取り付ける手段は、とくに図１８と図２７に示したように、スライドキー２８の半径方向と軸方向に設けた長孔２８ｂ，２８ｂと、この長孔２８ｂ，２８ｂに係合してシャフト２５に取り付けたピン２９から成るものであり、このピン２９と長孔２８ｂ，２８ｂによって、スライドキー２８は軸方向へ限定された距離摺動可能である。このスライドキー２８の一端部には、一対の係止凸部２８ｃが設けられると共に他端部には押釦３３が係着されている。
【００３２】
次に、スライドキー２８をその中心部軸方向に設けた変形挿通孔３０ａ内へ摺動可能に挿通させて、外周に図２３と図２５に示したように、凸状部と平坦部から成る回り止め手段３０ｂを設けたアウターカム３０が、前記したスライドキー２８を係止するピン２９をその半径方向に設けた連結孔３０ｃへ挿通させることによってシャフト２５へ固定されつつ設けられている。このアウターカム３０は、上述したように、送話部２１の取付筒部２１ａに設けた変形取付孔２１ｂに挿入され、その回り止め手段３０ｂを変形取付孔２１ｂの内側に設けた凹状部と凸状部から成る係合部２１ｃと係合させることにより、送話部２１の取付筒部２１ａと共に回転するように構成されている。このアウターカム３０にはまた、その一側端部側に各一対の凸部３１ａと凹部３１ｂから成るカム部３１が設けられている。尚、このアウターカム３０のカム部３１の形状は図２６に展開図にして詳しく示されている。
【００３３】
次に、同じくとくに図１８乃至図２０及び図２２に示したように、アウターカム３０と対向させて、その中心部軸方向に設けた挿通孔３５ａヘシャフト２５を挿通させつつスライダーカム３５が設けられている。尚、このスライダーカム３５の構成は図３０乃至図３２に詳しく示されている。このスライダーカム３５は、アウターカム３０と対向する側に凸部３６ａと凹部３６ｂから成るカム部３６が設けられると共に、その外周に設けた凸状部と凹状部から成る回り止め手段３５ｂをケース体２６の内周軸方向に設けた凹状部と凸状部から成る変形挿通孔２６ｄに係合させることによって、軸方向へ摺動可能であるが、回転はケース体２６に拘束されるように構成されている。
【００３４】
そして、スライダーカム３５とケース体２６の側壁２６ｂとの間には、図１８乃至図２０に示したように、シャフト２５に還巻きさせてコンプレッションスプリングから成る弾性手段３４が弾設されている。このことにより、スライダーカム３５は常にアウターカム３０の方向つまり図１８乃至図２０において右方向に摺動附勢されている。
【００３５】
したがって、第１の部材である送話部２１に対して第２の部材である受話部２３を閉じた状態においては、図１９に示したように、スライダーカム３５がケース体２６内を左方向へ移動しており、図２１に実線で示したように、アウターカム３０のカム部３１の凸部３１ａがスライダーカム３５のカム部３６の凸部３６ａを若干越えて凹部３６ｂに落ち込んだ状態で係止されており、ロック状態を保っている。
【００３６】
この状態から押釦３３を弾性手段３４の弾力に抗して図中左側へ押すと、共にスライドキー２８が図中左方向へ摺動することによって、このスライドキー２８の先端部の係止凸部２８ｃが、図２１の矢印イの方向へスライダーカム３５のカム部３６を押してその傾斜に従って該スライダーカム３５を若干矢印ロの方向へ回転させ、アウターカム３０のカム部３１の凸部３１ａをスライダーカム３５のカム部３６の凸部３６ａを乗り越えさせてその傾斜案内部３６ｃ上に至らせることによって、スライダーカム３５に回転トルクが発生し、図１９の右側から見て時計方向へ回転しつつ、図２１の矢印ハで示したように、アウターカム３０のカム部３１の凸部３１ａがスライダーカム３５のカム部３６の凹部３６ｂへ落ち込む。同時にスライダーカム３５は図２１の矢印ニの方向へ動く。その際に、スライダーカム３５はケース体２６に回転を拘束されており、ケース体２６は第２の部材である受話部２３の取付筒部２３ａに回転を拘束されているので、第２の部材である受話部２３はスライダーカム３５と共に時計方向へ回転して自動的に開かれることになる。この自動開成角度は実施の形態のもので約１６０°である。図１８はこの発明に係る電子機器用ヒンジＢのこの状態のものを示している。尚、押釦３３に対する押圧或は解除操作を行うと、スライドキー２８の係止凸部２８ｃは、図２１に示したように矢印ホの方向へ動く。
【００３７】
次に、誤って押釦３３が押された場合、第２の部材である受話部２３に上述したように開成方向へ開こうとする回転トルクが発生するが、受話部２３が開かれずに押釦３３に対する押圧力が解かれると、スライドキー２８は、弾性手段３４の弾力によってスライダーカム３５に押されて元位置に戻り、スライダーカム３５のカム部３６の凸部３６ａはアウターカム３０のカム部３１の凸部３１ａによって係止されるので、第２の部材である受話部２３はロック状態となり、開かれることはない。
【００３８】
開いた受話部２３を閉じる際には、一方の手で送話部２１を支え、もう一方の手で受話部２３を反時計方向へ押して閉じると、ケース体２６と共にスライダーカム３５が共に反時計方向へ回転し、そのカム部３６の凸部３６ａがアウターカム３０の傾斜案内部３１ｃを登りつつ弾性手段３４の弾力に抗して図中左方向へ摺動することにより開成操作が可能となる。受話部２３が送話部２１に対する閉成位置近くになると、スライダーカム３５のカム部３６の凸部３６ａが、アウターカム３０のカム部３１の凸部３１ａを越えたところで係止され閉成状態となる。しがたって、スライダーカム３５は、そのカム部３６の凸部３６ａをアウターカム３０のカム部３１の凸部３１ａによって係止ロックされる。このようにして、第１の部材である送話部２１と第２の部材である受話部２３は閉じられ、閉成状態でロックされることになる。その際に、スライダーカム３５のカム部３６の凸部３６ａがアウターカム３０のカム部３１の凸部３１ａを越えて落ち込む際に、図中右方向へ移動しようとするスライダーカム３５の力で、第２の部材である受話部２３は、第１の部材である送話部２１に対し吸い込まれるように閉じられることになる。
【００３９】
尚、以上の実施の形態は、第１の部材である送話部２１に対し、第２の部材である受話部２３が１６０°まで自動的に開かれる場合について説明したが、この自動開成角度に限定はなく、これを例えば９０°まで自動的に開かしめて、後はフリーストップに手動で開閉できるように構成しても良い。また、全開角度の１６０°は、一例であってこの開成角度に限定されない。さらに、以上の実施の形態は、電子機器用ヒンジを１個用いただけであるが、送話部２１の右側の取付筒部２１ａと受話部２３の取付筒部２３ａにもう１個別の構成のヒンジを用いることができ、そのようなヒンジは、所定の開成角度からフリクショントルクを発生させるヒンジ、その他のヒンジとすることができる。
【００４０】
次に、押釦３３を押圧操作することなく、受話部２３を送話部２１に対して開こうとする場合には、手指を用いて受話部２３を送話部２１に対して開く方向へ押したり、引いたりすると、スライダーカム３５のカム部３６の凸部３６ａが、その回転を阻止しているアウターカム３０のカム部３１の凸部３１ａを弾性手段３４の押圧力に抗して図中右側へ摺動されて乗り越えることによって、受話部２３の送話部２１に対する開成動作が許容され、後は上述したように自動的に１６°まで自動的に開かれることになる。
【００４１】
この発明に係る電子機器の一例としての携帯電話機がポケットやカバン、バッグ等の中で、送話部２１としての第１の部材と受話部２３としての第２の部材が閉じられた状態で押釦３３が押されると、図１９の状態においてスライドキー２８が図中左方向へ摺動してその先端の係止凸部２８ｃでスライダーカム３５のカム部３６を弾性手段３４の弾力に抗して共に左方向へ押す。すると、アウターカム３０のカム部３１の凸部３１ａによって係止ロックされていたスライダーカム３５の係止ロック状態が解除されるので、このスライダーカム３５、しかしてケース体２６及び受話部２３の取付筒部２３ａが受話部２３を開く方向の回転トルクを受け開こうとする。しかし、ポケットやカバン、或はバッグ等の中にある小型電子機器（携帯電話機）は両側より押された状態にあるのでそのままでは開かない。そこで、押釦３３に対する押圧力が解かれると、スライドキー２８は弾性手段３４の弾力によってスライダーカム３５を介して元位置に戻るので、再びスライダーカム３５のカム部３６の凸部３６ａは、アウターカム３０のカム部３１の凸部３１ａによって係止ロックされることから、誤って押釦３３を押してしまった携帯電話機をポケットやカバン或はバッグの中より取り出しても自然に送話部２１と受話部２３が開いてしまうことがないものである。
【００４２】
【発明の効果】
この発明は以上のように構成したので、次のような効果を奏し得る。
【００４３】
請求項１のように構成すると、押釦を押すことにより、自動的に第２の部材を第１の部材に対して、自動的に所定の角度まで開くことができ、手動でも開閉することができる上に、この発明に係る電子機器用ヒンジを用いた第１の部材である送話部と第２の部材である受話部を有する例えば携帯電話機を、ポケットやカバン、或はバッグ等の中に入れた状態で、誤って押釦が押されても、第１の部材である送話部と第２の部材である受話部が、前後から押されて閉じられたままであると、押釦に対する押圧力を解くことにより、再びスライダーカムのカム部が、インナーカムの係止突部が、係止ロックされるので、そのままポケットやカバン、或はバッグより取り出す際に、第２の部材が第１の部材に対して自然に開いてしまうことがないという効果を奏し得る。
【００４４】
請求項２と４のように構成すると、請求項１と２の効果をインナーカムを廃したより簡単な構成で達成できることができ、これにより、コストダウンを図ることができるという効果を奏し得る。
【００４５】
請求項３のように構成すると、第１の部材に対し第２の部材を閉じる際に、スライダーカム部の凸部がインナーカムの係止突部を乗り越えた際に、吸い込み力が発生するので、第２の部材は第１の部材に対して吸い込まれるようにして閉じることができるという効果を奏し得る。
【００４６】
請求項５のように構成すると、シャフトに取り付けた１本のピンによって、スライドキーをシャフトに回転を拘束させた状態で摺動させ、かつ、アウターカムをシャフトに連結固定でき、構造を簡単にすることができるという効果を奏し得る。
【００４７】
請求項６のように構成すると、押釦の片手による押圧操作によって、ワンタッチで第１の部材に対し第２の部材を必要な開成角度まで開くことができ、手動で閉じた際に閉成状態で互いをロックすることができる上に、手動によっても第２の部材を第１の部材に対して開くことができるという効果を奏し得る。
【図面の簡単な説明】
【図１】この発明に係る電子機器用ヒンジを用いた携帯電話機の第１の部材である送話部と第２の部材である受話部を開いて見た平面図である。
【図２】この発明に係る電子機器用ヒンジの正面図である。
【図３】この発明に係る電子機器用ヒンジの使用状態を説明する縦断面平面図である。
【図４】図１のＡ−Ａ線断面図である。
【図５】図１のＢ−Ｂ線断面図である。
【図６】アウターカムの右側面図である。
【図７】アウターカムのカム部の展開図である。
【図８】インナーカムの正面図である。
【図９】インナーカムの左側面図である。
【図１０】インナーカムのカム部の展開図である。
【図１１】スライダーカムの正面図である。
【図１２】スライダーカムの左側面図である。
【図１３】スライダーカムの縦断面図である。
【図１４】スライダーカムのカム部の展開図である。
【図１５】この発明に係る電子機器用ヒンジの動作を説明する説明図である。
【図１６】この発明に係る電子機器用ヒンジの各カム部の動作を説明する説明図である。
【図１７】この発明に係る電子機器用ヒンジの他の実施の形態を示す正面図である。
【図１８】図１７に示した電子機器用ヒンジの縦断面図である。
【図１９】図１７に示した電子機器用ヒンジの使用状態を説明するための説明図である。
【図２０】図１７に示した電子機器用ヒンジの使用状態を説明するための説明図である。
【図２１】図１７に示した電子機器用ヒンジの各カムの動作を説明するための説明図である。
【図２２】図１８のＣ−Ｃ線断面図である。
【図２３】図１８のＤ−Ｄ線断面図である。
【図２４】図１８に示した電子機器用ヒンジのアウターカムの縦断面図である。
【図２５】図２４に示したアウターカムの左断面図である。
【図２６】図２４に示したアウターカムのカム部の展開図である。
【図２７】図１８に示したアウターカムのスライドキーの縦断面図である。
【図２８】図２７に示したスライドキーの右側面図である。
【図２９】図２７に示したスライドキーのカム部の展開図である。
【図３０】図１８に示した電子機器用ヒンジのスライダーカムの正面図である。
【図３１】図３０に示したスライダーカムの右側面図である。
【図３２】図３１に示したスライダーカムのカム部の展開図である。
【符号の説明】
Ａ  電子機器用ヒンジ
Ｂ  電子機器用ヒンジ
１  送話部（第１の部材）
１ａ  取付筒部
３  受話部（第２の部材）
３ａ  取付筒部
５  シャフト
６  ケース体
６ａ  回り止め手段
８  スライドキー
８ｂ  長孔
９  ピン
１０  アウターカム
１０ｂ  回り止め手段
１１  カム部
１２  インナーカム
１２ｂ  係止凸部
１３  押釦
１４  第１弾性手段
１５  スライダーカム
１５ｃ  回り止め手段
１６  カム部
１６ａ  凸部
１６ｃ  傾斜案内部
１７  第２弾性手段
２１  送話部（第１の部材）
２１ａ  取付筒部
２３  受話部（第２の部材）
２３ａ  取付筒部
２５  シャフト
２６  ケース体
２６ａ  回り止め手段
２８  スライドキー
２８ｂ  長孔
２８ｃ  係止凸部
２９  ピン
３０  アウターカム
３０ｂ  回り止め手段
３１  カム部
３１ｃ  傾斜案内部
３３  押釦
３４  弾性手段
３５  スライダーカム
３５ｂ  回り止め手段
３６  カム部
３６ｃ  傾斜案内部
【図１】
2004183821.tif 000003
【図２】
2004183821.tif 000004
【図３】
2004183821.tif 000005
【図４】
2004183821.tif 000006
【図５】
2004183821.tif 000007
【図６】
2004183821.tif 000008
【図７】
2004183821.tif 000009
【図８】
2004183821.tif 000010
【図９】
2004183821.tif 000011
【図１０】
2004183821.tif 000012
【図１１】
2004183821.tif 000013
【図１２】
2004183821.tif 000014
【図１３】
2004183821.tif 000015
【図１４】
2004183821.tif 000016
【図１５】
2004183821.tif 000017
【図１６】
2004183821.tif 000018
【図１７】
2004183821.tif 000019
【図１８】
2004183821.tif 000020
【図１９】
2004183821.tif 000021
【図２０】
2004183821.tif 000022
【図２１】
2004183821.tif 000023
【図２２】
2004183821.tif 000024
【図２３】
2004183821.tif 000025
【図２４】
2004183821.tif 000026
【図２５】
2004183821.tif 000027
【図２６】
2004183821.tif 000028
【図２７】
2004183821.tif 000029
【図２８】
2004183821.tif 000030
【図２９】
2004183821.tif 000031
【図３０】
2004183821.tif 000032
【図３１】
2004183821.tif 000033
【図３２】
2004183821.tif 000034